(57)【要約】【課題】  刈刃による騒音発生箇所の直近において騒音を効果的に低減することができ、作業者の耳元騒音や周囲騒音を抑制した実用上優れたモーアを提供する。【解決手段】  刈刃２を駆動回転可能に内装した刈刃ハウジング１に、刈刃回転によって発生した騒音を導入して共鳴減衰させる消音室１２を装備してある。【選択図】        図３
2005160352.tif 000002
【特許請求の範囲】
【請求項１】
刈刃を駆動回転可能に内装した刈刃ハウジングに、刈刃回転によって発生した騒音を導入して共鳴減衰させる消音室を装備してあることを特徴とするモーア。
【請求項２】
前記消音室の刈刃収容室に対向する縦壁面を、前記刈刃の先端回動軌跡に沿わせた形状に形成してあることを特徴とする請求項１記載のモーア。
【請求項３】
前記記消音室を仕切り壁によって複数の小消音室に区分し、各小消音室ごとに騒音導入口を形成してあることを特徴とする請求項１または２記載のモーア。
【請求項４】
前記消音室の騒音を導入する騒音導入口を筒体で構成してあることを特徴とする請求項１〜３のいずれか一項に記載のモーア。
【発明の詳細な説明】
【技術分野】
【０００１】
本発明は、駆動回転される刈刃を刈刃ハウジングに軸支装着したモーアに関する。
【背景技術】
【０００２】
モーアでは、刈刃の回転に起因する風きり騒音などが発生するものであり、縦軸心周りに駆動される刈刃（バーブレード）を内装したモーアにおいては、刈刃ハウジング（デッキ）の下縁に吸音管を備えることで、ハウジング下縁から外部へ洩れだす騒音の減衰を図ることが試みられている（例えば、特許文献１参照）。
【特許文献１】特開平８−４７３２１号公報
【発明の開示】
【発明が解決しようとする課題】
【０００３】
上記吸音管は、騒音が小孔を介して管内を通過することで騒音エネルギーを減衰させるものであるが、刈刃ハウジングの下縁に沿って配備する関係で小径の管を使用することになるので、騒音減衰効果が十分には発揮されないものであった。
【０００４】
本発明は、このような点に着目してなされたものであって、騒音発生箇所の直近において騒音を効果的に低減することができ、作業者の耳元騒音や周囲騒音を抑制した実用上優れたモーアを提供することを目的としている。
【課題を解決するための手段】
【０００５】
第１の発明に係るモーアは、刈刃を駆動回転可能に内装した刈刃ハウジングに、刈刃回転によって発生した騒音を導入して共鳴減衰させる消音室を装備してあることを特徴とする。
【０００６】
上記構成によると、刈刃の高速回転によって発生した騒音の一部は消音室に導入され、共鳴減衰作用によって低減する。この場合、消音室の容積、騒音を消音室に導き入れる導入口の大きさ、などの設定によって特定の周波数域帯域の騒音を低減することができる。
【０００７】
従って、第１の発明によると、騒音をその発生箇所近くから消音室に導入して特定の周波数帯で効果的に減衰させることが可能となり、作業者の耳元騒音や周囲騒音を抑制した実用上優れたモーアを得ることができる。
【０００８】
第２の発明に係るモーアは、上記第１の発明において、前記消音室の刈刃収容室に対向する縦壁面を、前記刈刃の先端回動軌跡に沿わせた形状に形成してあることを特徴とする。
【０００９】
上記構成によると、刈刃に対するバキュームプレートの機能を消音室の縦壁面に発揮させることができる。
【００１０】
従って、第２の発明によると、第１の発明の上記効果をもたらすとともに、部材の兼用化によってコストアップおよび重量増加を軽減することができる。
【００１１】
第３の発明に係るモーアは、上記第１または第２の発明において、前記消音室を仕切り壁によって複数の小消音室に区分し、各小消音室ごとに騒音導入口を形成してあることを特徴とする。
【００１２】
上記構成によると、小消音室の個数、室内の容積、騒音導入口の仕様、などを調整しておくことで各小消音室の消音特性を設定することができる。また、小消音室ごとの消音特性を刈刃ハウジングの各部位での騒音発生特性に対応させることも可能となる。
【００１３】
従って、第３の発明によると、発生する騒音の周波数や発生分布などに対応した消音を行うことができ、第１の発明の上記効果を助長する。
【００１４】
第４の発明に係るモーアは、上記第１〜３のいずれか一つの発明において、前記消音室の騒音を導入する騒音導入口を筒体で構成してあることを特徴とする。
【００１５】
上記構成によると、消音室の大きさが同じであっても騒音導入口を構成する筒体の径や長さを設定することによって共鳴減衰する騒音の周波数を調整することが可能となる。
【００１６】
従って、第４の発明によると、騒音導入口の仕様設定によって消音室の消音特性を任意に設定することが容易となり、騒音発生特性に応じた適切な騒音低減効果をもたらすことができる。
【発明を実施するための最良の形態】
【００１７】
図１に、本発明に係るモーアの一例である芝刈り用モーアの平面図、また、図２にその横断した平面図がそれぞれ示されている。このモーアは、乗用型の草刈機本機に昇降自在に装着されて使用されるものであり、上面が扁平なフラットデッキ型に構成された刈刃ハウジング１の天井壁１ａおける左右および中央部位に、縦軸心周りに同方向に回転駆動されるバーブレード型の３枚の刈刃２が軸支装着されるとともに、刈刃ハウジング１の右端部に刈草排出口３が形成された側方放出型（サイドディスチャージ型）に構成されている。なお、刈刃ハウジング１の外側前後には障害物乗越え用のローラ４，５が備えられるとともに、刈刃ハウジング１の右端部には刈草放出ガイド板６が起伏揺動可能に備えられている。
【００１８】
刈刃ハウジング１の上方中央部位には、図示されていない草刈機本機のＰＴＯ軸に伝動軸７を介して連動連結されるベベルギヤケース８が配備され、このベベルギヤケース８に後方から伝達された動力が縦軸回転に変換されて中央の刈刃駆動軸９に伝達されるとともに、この中央の刈刃駆動軸９の回転動力がベルト１０を介して左右の刈刃駆動軸９に伝達され、全刈刃２が図中時計回りに回転駆動されることで、刈取られて跳ね飛ばし搬送された刈草が前記刈草排出口３に向けて送られるようになっている。
【００１９】
刈刃ハウジング１の内部には、下方に開放された刈刃収容室１１が形成されるとともに、この刈刃収容室１１の前部にはハウジング全幅に亘る消音室１２が設けられている。この消音室１２は、底壁面１３ａと縦壁面１３ｂを備えた壁面部材１３を、刈刃ハウジング１の天井壁１ａと前壁１ｂとに亘ってボルト連結して気密状に構成されたものであり、その縦壁面１３ｂの平視形状が、刈刃２の先端回動軌跡に沿った湾曲形状に構成され、消音室１２の縦壁面１３ｂが、モーアの前進移動によって刈刃ハウジング内に導入された草を刈刃２の回転によって吸い上げ起立させる負圧を発生させるためのバキュームプレートとして機能している。なお、刈刃収容室１１の後部には刈刃ハウジング１の天井壁１ａに取り付けられたバキュームプレート１４が配備されている。
【００２０】
前記消音室１２の縦壁面１３ｂにおける適所には、刈刃２の回転によって発生した騒音を消音室１２に導入するための騒音導入口１５が設けられている。この騒音導入口１５は、消音室１２に突入された筒体１６で構成されており、この騒音導入口１５から消音室１２に導入された騒音のうちの特定の周波数のものが共鳴減衰されるようになっている。
【００２１】
ここで、共鳴減衰される騒音の周波数は、消音室１２の容積、騒音導入口１５の口径、筒体１６の長さ、などによって変化するものであり、刈刃２の騒音特性に対応した設定がなされる。
【００２２】
[他の実施例]
本発明は、以下のような形態で実施することもできる。
【００２３】
（１）図４に示すように、前記消音室１２を仕切り壁１７によって複数の小消音室１２ａに区画するとともに、各小消音室１２ａごとに筒体１６からなる騒音導入口１５を設けることで、小消音室１２ａごとに特定の周波数の騒音を低減することができる。この場合、小消音室１２ａの位置によって減衰される周波数が異なるように設定することで、刈刃収容室１１の各部位での騒音発生状況に応じた消音を行うことができる。
【００２４】
（２）図５に示すように、前記消音室１２の底壁面１３ａに筒体１６からなる騒音導入口１５を設けて実施することもできる。
【００２５】
（３）図６に示すように、底壁面１３ａと縦壁面１３ｂを備えた壁面部材１３を、刈刃ハウジング１の天井壁１ａと後壁１ｃとに亘って連結することで刈刃ハウジング１の後部にも消音室１２を設けることができる。この場合も、消音室１２の縦壁面１３ｂを刈刃２の先端回動軌跡に沿わせた形状に湾曲することで、この縦壁面１３ｂに後部バキュームプレート１４の機能を発揮させることができる。
【００２６】
（４）前記騒音導入口１５に金網などを備えることで、刈草やゴミが消音室１２に入るのを抑制することができる。
【００２７】
（４）前記消音室１２を構成する壁面部材１３を刈刃ハウジング１に脱着可能にボルト連結するように構成したり、消音室１２の底壁面１３ａなどに開閉可能な掃除口を設けておくと、消音室１２に入り込んで溜まった刈草やゴミを排出することが容易となる。
【００２８】
（５）本発明は、バーブレード型の刈刃を備えたモーアの他に、横軸心周りに回転されて遠心力で突出作動する刈刃を備えたフレールモーアに適用することもできる。
【図面の簡単な説明】
【００２９】
【図１】モーアの平面図
【図２】モーアの横断平面図
【図３】モーアの縦断側面図
【図４】別実施例のモーアの横断平面図
【図５】別実施例のモーアの要部を示す縦断側面図
【図６】別実施例のモーアの要部を示す縦断側面図
【符号の説明】
【００３０】
１              刈刃ハウジング
２              刈刃
１１            刈刃収容室
１２            消音室
１２ａ          小消音室
１３ｂ          縦壁面
１５            騒音導入口
１６            筒体
１７            仕切り壁
【図１】
2005160352.tif 000003
【図２】
2005160352.tif 000004
【図３】
2005160352.tif 000005
【図４】
2005160352.tif 000006
【図５】
2005160352.tif 000007
【図６】
2005160352.tif 000008